(57)【特許請求の範囲】
【請求項１】
少なくともシャッタースラットを巻き上げ下げする電動式の巻取部を収容したシャッターボックスと、該シャッターボックスの下方に配置され上記シャッタースラットの両側部を昇降自在に案内するガイドレールとを備え、上記シャッタースラットは上下方向に連結されたアルミ形材製の複数のスラット部材からなり、上下に隣接するスラット部材のうち、上のスラット部材の下辺に、内側に湾曲し、先端に拡大曲面部を有する下側折り返し部を形成し、下のスラットの上辺に、上記下側折り返し部に対応して外側に湾曲し、上記拡大曲面部に摺動自在に掛止される掛止部を有する上側折り返し部を形成し、該上側折り返し部に上方に突出した突出部を設け、上のスラット部材における拡大曲面部よりも上方に上記突出部の上方への移動を規制する規制部を設け、該規制部がスラット部材間の隙間に入り込むのを防止するために先端から外側斜め上方に傾斜した邪魔板が形成されていることを特徴とするシャッター。
【発明の詳細な説明】
【技術分野】
【０００１】
本発明は、シャッターに係り、特にシャッター開閉時の音なりを防止する技術に関する。
【背景技術】
【０００２】
シャッターとしては、例えば建物の窓（例えば窓サッシ）の室外側に取付けられる小型軽量のシャッターが知られている。この種のシャッターは、少なくともシャッタースラットを巻き上げ下げする巻取部を収容したシャッターボックスと、該シャッターボックスの下方に配置され上記シャッタースラットの両側部を昇降自在に案内するガイドレールとを備えて構成されている（特許文献１参照）。シャッタースラットとしては、例えば厚さが０．３ｍｍ程度のスチール製のスラット部材が採用されている。
【０００３】
上記シャッターボックスの大きさを変更することなく、シャッタースラットとして耐久性及び意匠性に優れたアルミ形材（アルミニウム合金の押出形材）製のスラット部材を採用する開発がなされている。しかしながら、現在開発中のシャッタースラットにおいては、閉動作の後半で異音を発生する不具合がある。図７は開発中のシャッタースラット（未公開）に発生した不具合を説明する説明図である。
【０００４】
同図において、１０は巻取部の巻取りシャフト、２はシャッタースラット、１２はスラット部材である。上下に隣接するスラット部材１２のうち、下のスラット部材１２の上辺には内側に湾曲した逆湾曲部２５を経て室外側に湾曲して折り返された上側折り返し部２６が形成され、該上側折り返し部２６の先端に拡大曲面部２７が形成されている。上のスラット部材１２の下辺には内側に湾曲して折り返された下側折り返し部２８が形成され、該下側折り返し部２８には上記拡大曲面部２７を摺動自在に掛止する掛止部２９が形成されている。上のスラット部材１２には上側折り返し部２６の上方を覆って上側折り返し部２６の上方への移動を規制する規制部３０が突出形成されている。
【０００５】
【特許文献１】特開２００４−１７６２６３号公報
【発明の開示】
【発明が解決しようとする課題】
【０００６】
このように構成されたシャッタースラットにおいては、巻取りシャフト１０に巻付いているシャッタースラット２が閉動作の後半で、図７の（ａ）に示すように巻取りシャフト１０に巻付いて巻径の一番小さい状態（この状態では掛止部２９から拡大曲面部２７がずれて離れている）から、図７の（ｂ）に示すように下のスラット部材１２が巻取りシャフト１０から離れるときに、下向きの引張力により拡大曲面部２７が掛止部２９内にずれ落ちて「パキン」という異音（音なり）を発生する不具合がある。
【０００７】
本発明は、上記事情を考慮してなされたものであり、シャッター開閉時の音なりを防止することができるシャッターを提供することを目的とする。
【課題を解決するための手段】
【０００９】
本発明は、少なくともシャッタースラットを巻き上げ下げする電動式の巻取部を収容したシャッターボックスと、該シャッターボックスの下方に配置され上記シャッタースラットの両側部を昇降自在に案内するガイドレールとを備え、上記シャッタースラットは上下方向に連結されたアルミ形材製の複数のスラット部材からなり、上下に隣接するスラット部材のうち、上のスラット部材の下辺に、内側に湾曲し、先端に拡大曲面部を有する下側折り返し部を形成し、下のスラットの上辺に、上記下側折り返し部に対応して外側に湾曲し、上記拡大曲面部に摺動自在に掛止される掛止部を有する上側折り返し部を形成し、該上側折り返し部に上方に突出した突出部を設け、上のスラット部材における拡大曲面部よりも上方に上記突出部の上方への移動を規制する規制部を設け、該規制部がスラット部材間の隙間に入り込むのを防止するために先端から外側斜め上方に傾斜した邪魔板が形成されていることを特徴とする。
【発明の効果】
【００１１】
本発明によれば、少なくともシャッタースラットを巻き上げ下げする電動式の巻取部を収容したシャッターボックスと、該シャッターボックスの下方に配置され上記シャッタースラットの両側部を昇降自在に案内するガイドレールとを備え、上記シャッタースラットは上下方向に連結されたアルミ形材製の複数のスラット部材からなり、上下に隣接するスラット部材のうち、上のスラット部材の下辺に、内側に湾曲し、先端に拡大曲面部を有する下側折り返し部を形成し、下のスラットの上辺に、上記下側折り返し部に対応して外側に湾曲し、上記拡大曲面部に摺動自在に掛止される掛止部を有する上側折り返し部を形成し、該上側折り返し部に上方に突出した突出部を設け、上のスラット部材における拡大曲面部よりも上方に上記突出部の上方への移動を規制する規制部を設け、該規制部がスラット部材間の隙間に入り込むのを防止するために先端から外側斜め上方に傾斜した邪魔板が形成されているため、シャッター開閉時の音なりを防止することができると共に、シャッター閉鎖時に障害物を挟み込んだときに発生する上向きの負荷をシャッタースラットを介して短時間で巻取部に伝えて巻取部を停止させることができ、しかもスラット部材間の隙間に規制部が入り込むのを防止することができる。
【発明を実施するための最良の形態】
【００１２】
以下に、本発明を実施するための最良の形態について、添付図面を基に詳述する。図１は本発明の実施の形態であるシャッターの概略的構成を示す斜視図、図２は同シャッターの縦断面図、図３は同シャッターのガイドレール部分の横断面図である。
【００１３】
これらの図において、１は建物の窓（例えば窓サッシ）の室外側に取付けられる小型軽量の電動式シャッターで、このシャッター１は、少なくともシャッタースラット（シャッターカーテンともいう）２を巻き上げ下げする巻取部３を収容したシャッターボックス４と、該シャッターボックス４の下方に配置され上記シャッタースラット２の両側部を昇降自在に案内するガイドレール５とを備えている。
【００１４】
また、本実施形態のシャッター１は、建物の躯体に取付けられる枠体（シャッター枠ともいう）６を備えている。この枠体６は、アルミ形材製の左右の縦枠６ａ，６ａと、両縦枠６ａ，６ａ間に掛け渡されてネジ止めにより組み付けられた上枠（天板ともいう）６ｂ、中枠（マグサともいう）６ｃ及び下枠（水切りともいう）６ｄとからなっている。
【００１５】
また、本実施形態の枠体（シャッター枠）６はサッシ枠６を兼ね備えている。すなわち、縦枠６ａはサッシの縦枠７ａを兼ねており、中枠６ｃはサッシの上枠７ｂを、下枠６ｄはサッシの下枠７ｃを兼ねている。これら縦枠７ａ、中枠７ｂ及び下枠７ｃにより構成されたサッシ枠７の内部には引違い式の内外の障子８ａ，８ｂがスライド開閉可能に取付けられている。なお、枠体（シャッター枠）６は、サッシ枠７と別体に構成されていても良い。
【００１６】
上記シャッターボックス４は、上枠（天板６ｂ）、中枠６ｃ及び左右の縦枠６ａ，６ａからなる枠部４ａと、該枠部４ａの前面を覆うように設けられた前面カバー９ａと、該前面カバー９ａの左右両側面を覆うように設けられた側面カバー９ｂ，９ｂとによって主に構成されている。上記ガイドレール５はアルミ形材製であり、縦枠６ａの前面部にねじ止め等により着脱可能に取付けられている。
【００１７】
上記巻取部３は、シャッタースラット２を巻き上げ下げ可能に巻取ってなる巻取りシャフト１０と、該巻取りシャフト１０を回転駆動する駆動部としての電動モータ１１とを備えている。本実施形態では、巻取りシャフト１０の内部に電動モータ１１が組み込まれたタイプのシャッターが示されているが、本発明はこれに限定されるものではない。また、シャッターは、開閉切替用の図示しないスイッチを備えている。
【００１８】
図４は巻取部におけるシャッタースラットの巻取り状態を示す断面図、図５はスラット部材の動きを説明する説明図、図６は障害物に当ったときの負荷を巻取部へ伝える仕組みを説明する説明図である。これらの図に示すように、上記シャッタースラット２は、左右方向に細長い板状の複数のアルミ形材製スラット部材１２をヒンジ部１３を介してよろい状に上下方向につないでなり、下端に端板部であるエンドスラット１４を有している。
【００１９】
上下に隣接するスラット部材１２のうち、上のスラット部材１２の下辺には、内側（図５の右側）に湾曲し、先端に拡大曲面部１５を有する下側折り返し部１６が形成され、下のスラット１２の上辺には、上記下側折り返し部１６に対応して外側（図５の左側）に湾曲し、上記拡大曲面部１５に摺動自在に掛止される掛止部１７を有する上側折り返し部１８が形成されている。すなわち、各スラット部材１２は、上部に係止部１７を有する上側折り返し部１８を備えると共に、下部に拡大曲面部１５を有する下側折り返し部１６を備えている。なお、上側折り返し部１８の付け根部分には内側（図５の右側）に湾曲した逆湾曲部１９が形成されている。
【００２０】
スラット部材１２の厚さは例えば１ｍｍ程度とされている。また、スラット部材１２は室内側（図６の右側）が凹面になるように横断面円弧状に形成されている。上記下側折り返し部１６は断面略Ｕ字状に形成されており、その先端にはスラット部材の厚さよりも略２倍程度直径の大きい断面円形の拡大曲面部１５が支軸として形成されている。図５の（ａ）に示すように、この拡大曲面部１５の外面部（図の右側部分）１５ａは、下側折り返し部１６の外面から曲面状になだらかに連続して形成されているのに対し、拡大曲面部１５の内面部（図の左側部分）１５ｂは下枠折り返し部１６の内面から円弧状に突き出して形成されている。この拡大曲面部１６に対して略同じ（若干大きい）曲率の凹曲面状の掛止部１７が引っ掛けられて周方向に摺動可能に係合（掛止）されている。
【００２１】
このように掛止部１７を拡大曲面部１５に常に摺接させた状態で下のスラット部材１２が上のスラット部材１２の拡大曲面部１５を支点として室内外方向に揺動（スイング又は回動）可能に構成されているため、開発中のスラット部材のように下向きの引張力により拡大曲面部が掛止部内にずれ落ちて「パキン」という異音（音なり）を発生するようなことはなく、シャッター開閉時（特に閉動作の後半で）の音なりを防止することができる。
【００２２】
一方、前記エンドスラット１４の上部には、図６に示すように最下部のスラット部材１２の下側折り返し部１６の先端（拡大曲面部１５）に掛止される断面略逆Ｕ字状のフック部２０が形成されている。シャッタースラット２の閉作動時にシャッタースラット２の下端部であるエンドスラット１４と下枠６ｄとの間に障害物２１を挟み込んでしまった場合に、反力である上向きの負荷をシャッタースラット２を介して短時間で巻取部３に伝えて巻取部３の回転を停止させるために、上側折り返し部１８には上方に突出した突出部２２が設けられ、上のスラット部材１２における拡大曲面部１５よりも上方には上記突出部２２の上方への移動を規制する規制部２３が設けられている。
【００２３】
なお、このように拡大曲面部１５と規制部２３とを相互に離して形成することにより、これら拡大曲面部１５及び規制部２３のアルミ押出成形を可能にしている。拡大曲面部１５と規制部２３が接近するとアルミ押出成形が困難になるからである。
【００２４】
上記突出部２２及び規制部２３はそれぞれスラット部材１２の長手方向（図４の紙面に垂直方向）に連続して形成されている。上記規制部２３は、スラット部材１２の内面から室内側に突出して形成されていると共に、突出部２２の先端に近接するように突出部２２の先端の回動奇跡に沿って曲面状に形成されている。規制部２３は、拡大曲面部１５よりも室内側へ若干突出していることが好ましい。また、上記規制部２３には、巻取りシャフト１０に巻かれたシャッタースラット２のスラット部材間の隙間に、その外側に巻かれるシャッタースラット２の突出した規制部２３が入り込むのを防止するために先端から室外方向斜め上方に傾斜した邪魔板部２３ａが形成されていることが好ましい。
【００２５】
シャッタースラット２が略垂直に垂れ下がった状態では、上向きの反力（負荷）で図５の（ｃ）に示すように円で囲んだ突出部２２と規制部２３、及び上側折り返し部１８と下側折り返し部１６の２箇所のうちの何れか一箇所又は両箇所が当接して負荷を伝達するようになっている。図５の（ｂ）に示すように下のスラット部材１２が室内側に傾いている（ガイドレール内で転んだ状態）場合には、円で囲んだ突出部２２と規制部２３が当接して負荷を伝達する。図５の（ｄ）に示すように下のスラット１２が室外側に傾いている（ガイドレール内で転んだ状態）場合には、円で囲んだ上側折り返し部１８と下側折り返し部１６が当接して負荷を伝達する。シャッタースラット２の閉鎖時に障害物２１を挟み込んでシャッタースラット２を介して巻取部３に負荷が加わると、電動モータ１１が停止されるようになっている。
【００２６】
また、このように上下のスラット部材１２が互いに接近する方向の動きが規制されていることにより、上下のスラット部材１２の連結が外れないようになっている。上下のスラット部材１２は、拡大曲面部１５と掛止部１７を長手方向の一端から互いにスライドさせて係合させることにより連結されている。この場合、例えば下側折り返し部１６の長さよりも掛止部１７の長さを若干短めに形成し、下側折り返し部１６の両端部をカシメることにより上下のスラット部材１２が互いに長手方向にずれない（スライドしない）ように規制されている。
【００２７】
上のスラット部材１２に対して下のスラット部材１２は、図５の（ａ）に示すように拡大曲面部１５を支点に反時計方向に回動して突出部２２が上のスラット部材１２の内面に当接することで反時計方向の回動が規制され、同図の（ｄ）に示すように時計方向に回動して上側折り返し部１８が下側折り返し部１６に当接することで時計方向の回動が規制されるようになっている。
【００２８】
なお、シャッタースラット２が強い風圧によってガイドレール５のガイド溝５ａから離脱するのを防止するために、図３ないし図４に示すように、ガイドレール５のガイド溝５ａ内には抜け止め用の突起部５ｂが設けられていると共に、スラット部材１２の端部には上記突起部５ｂに引っ掛かる抜け止め部材２４が適宜設けられている。
【００２９】
以上のように構成されたシャッター１によれば、少なくともシャッタースラット２を巻き上げ下げする巻取部３を収容したシャッターボックス４と、該シャッターボックス４の下方に配置され上記シャッタースラット２の両側部を昇降自在に案内するガイドレール５とを備え、上記シャッタースラット２は上下方向に連結されたアルミ形材製の複数のスラット部材１２からなり、上下に隣接するスラット部材１２のうち、上のスラット部材１２の下辺に、内側に湾曲し、先端に拡大曲面部１５を有する下側折り返し部１６を形成し、下のスラット１２の上辺に、上記下側折り返し部１６に対応して外側に湾曲し、上記拡大曲面部１５に摺動自在に掛止される掛止部１７を有する上側折り返し部１８を形成しているため、シャッター開閉時の音なりを防止することができる。
【００３０】
すなわち、掛止部１７を拡大曲面部１５に常に摺接させた状態で下のスラット部材１２が上のスラット部材１２の拡大曲面部１５を支点として室内外方向に揺動（回動）可能に構成されているため、開発中のスラット部材のように下向きの引張力により拡大曲面部が掛止部内にずれ落ちて「パキン」という異音（音なり）を発生するようなことはなく、シャッター開閉時（特に閉動作の後半で）の音なりを防止することができる。
【００３１】
また、上側折り返し部１８に上方に突出した突出部２２を設け、上のスラット部材１２における拡大曲面部１５よりも上方に上記突出部２２の上方への移動を規制する規制部２３を設けているため、シャッター閉鎖時に障害物２１を挟み込んだときに発生する上向きの負荷をシャッタースラット２を介して短時間で巻取部３に伝えて巻取部３を停止させることができ、安全性の向上が図れる。スラット部材１２がアルミ押出形材からなるため、剛性及び意匠性の向上が図れる。また、アルミ押出形材製でありながらスラット部材の厚さを薄く（１ｍｍ程度）抑えているため、シャッタースラットの巻径の増大を抑制でき、シャッターボックスの大きさを変更する必要がなく、既存のシャッターボックスにも本実施形態のシャッタースラットを用いることができる。
【００３２】
以上、本発明の実施の形態ないし実施例を図面により詳述してきたが、本発明は上記実施の形態ないし実施例に限定されるものではなく、本発明の要旨を逸脱しない範囲での種々の設計変更等が可能である。
【図面の簡単な説明】
【００３３】
【図１】本発明の実施の形態であるシャッターの概略的構成を示す斜視図である。
【図２】同シャッターの縦断面図である。
【図３】同シャッターのガイドレール部分の横断面図である。
【図４】巻取部におけるシャッタースラットの巻取り状態を示す断面図である。
【図５】スラット部材の動きを説明する説明図である。
【図６】障害物に当ったときの負荷を巻取部へ伝える仕組みを説明する説明図である。
【図７】開発中のシャッタースラットに発生した不具合を説明する説明図である。
【符号の説明】
【００３４】
１  シャッター
２  シャッタースラット
３  巻取部
４  シャッターボックス
５  ガイドレール
１５  拡大曲面部
１６  下側折り返し部
１７  掛止部
１８  上側折り返し部
２２  突出部
２３  規制部
【図１】
0004801394.tif 000002
【図２】
0004801394.tif 000003
【図３】
0004801394.tif 000004
【図４】
0004801394.tif 000005
【図５】
0004801394.tif 000006
【図６】
0004801394.tif 000007
【図７】
0004801394.tif 000008